(57)【要約】【課題】複数の調理品をそれぞれ区画して収容する機能を有しながらも、電子レンジによる加熱時には温度ムラの発生を抑制し得る電子レンジ用容器を提供すること。【解決手段】電子レンジ用容器１は、底壁１２，２２および側壁１３，２３を有する平面視四角形の容器本体１１，２１と、側壁１３，２３の上端に設けられた鍔部１６，２６とを備えた複数の小分け容器１０，２０が、互いの鍔部１６，２６同士が接続されて平面状に連なる。複数の小分け容器１０，２０の鍔部１６，２６は、該鍔部１６，２６同士が着脱自在な着脱機構１７，２７を有している。【選択図】図６
2017065785.tif 000002
【特許請求の範囲】
【請求項１】
底壁および側壁を有する平面視四角形の容器本体と、上記側壁の上端に設けられた鍔部とを備えた複数の小分け容器が、互いの上記鍔部同士が接続されて平面状に連なる電子レンジ用容器であって、
上記複数の小分け容器の鍔部は、該鍔部同士が着脱自在な着脱機構を有している
ことを特徴とする電子レンジ用容器。
【請求項２】
請求項１の電子レンジ用容器において、
上記着脱機構は、上記鍔部の上面に形成された突起により構成されるものと、上記鍔部に形成され、上記突起に嵌る孔により構成されるものとがあり、
上記複数の小分け容器は、上記２つの着脱機構のうち１つを有している
ことを特徴とする電子レンジ用容器。
【請求項３】
請求項１または２において、
上記複数の小分け容器は、上記底壁の中央が底上げされている
ことを特徴とする電子レンジ用容器。
【発明の詳細な説明】
【技術分野】
【０００１】
本発明は、食品を収容して電子レンジで加熱するための電子レンジ用容器に関するものである。
【背景技術】
【０００２】
食品を収容して電子レンジで加熱する電子レンジ用の容器（食品容器）が知られている。例えば特許文献１に開示されている容器は、平面視が四角形に形成され、底壁および側壁を有している。この容器に食品を収容し、電子レンジで加熱する。
【先行技術文献】
【特許文献】
【０００３】
【特許文献１】特開２０１４−１２５２２９号公報
【発明の概要】
【発明が解決しようとする課題】
【０００４】
ところで、肉料理や魚介料理、野菜料理等の複数の調理品をセットにしコース料理として販売することが考えられる。その場合、複数区画された１つの電子レンジ用容器にそれぞれの調理品が区画した箇所に収容される。そして、その電子レンジ用容器を電子レンジで加熱することで、複数の調理品がまとめて加熱される。しかしながら、この方法では、容器の中央に位置する調理品は加熱されにくいという問題があった。そのため、複数の調理品において温度ムラが発生してしまう。
【０００５】
本発明は、かかる事情に鑑みてなされたものであり、その目的は、複数の調理品をそれぞれ区画して収容する機能を有しながらも、電子レンジによる加熱時には温度ムラの発生を抑制し得る電子レンジ用容器を提供することにある。
【課題を解決するための手段】
【０００６】
本発明は、底壁および側壁を有する平面視四角形の容器本体と、上記側壁の上端に設けられた鍔部とを備えた複数の小分け容器が、互いの上記鍔部同士が接続されて平面状に連なる電子レンジ用容器である。そして、上記複数の小分け容器の鍔部は、該鍔部同士が着脱自在な着脱機構を有しているものである。
【発明の効果】
【０００７】
以上のように、本発明の電子レンジ用容器では、複数の小分け容器が互いの鍔部同士で接続されて平面状に連なっているため、店舗で販売等する際、複数の調理品からなるコース料理を消費者に豪華に見せることができる。また、本発明の電子レンジ用容器では、小分け容器の鍔部に鍔部同士が着脱自在な着脱機構が設けられているため、電子レンジで加熱する際は、複数の小分け容器を互いに離すことで、それぞれの調理品を十分に加熱することができる。したがって、複数の調理品において温度ムラの発生を抑制することができる。
【図面の簡単な説明】
【０００８】
【図１】図１は、実施形態に係る雄型小分け容器の概略構成を示す平面図である。
【図２】図２は、図１におけるＡ−Ａ線の断面図である。
【図３】図３は、実施形態に係る雌型小分け容器の概略構成を示す平面図である。
【図４】図４は、図３におけるＡ−Ａ線の断面図である。
【図５】図５は、雄型小分け容器と雌型小分け容器との接続部を示す断面図である。
【図６】図６は、雄型小分け容器と雌型小分け容器とが接続された電子レンジ用容器を示す斜視図である。
【発明を実施するための形態】
【０００９】
以下、本発明の実施形態について図面を参照しながら説明する。なお、以下の実施形態は、本質的に好ましい例示であって、本発明、その適用物、あるいはその用途の範囲を制限することを意図するものではない。
【００１０】
図１〜図６に示すように、本実施形態の電子レンジ用容器１は、複数（本実施形態では、４つ）の小分け容器１０，２０が接続されている。小分け容器は、雄型小分け容器１０および雌型小分け容器２０の２種類がある。各小分け容器１０，２０に、肉料理や魚介料理、野菜料理等の複数の調理品が１種類ずつ収容される。
【００１１】
図１および図２に示すように、雄型小分け容器１０は、容器本体１１と、鍔部２６とを備えている。容器本体１１は、上部が開放されたやや扁平な容器状に形成され、平面視四角形に形成されている。容器本体１１は、底壁１２および４つの側壁１３を有している。各側壁１３の上端には、鍔部１６が連続して形成されている。鍔部１６は、側壁１３の上端から水平に延びた後、やや下方へ折れ曲がっている。鍔部１６は、平面視で四角形の枠型に形成されている。
【００１２】
一方、雌型小分け容器２０は、図３および図４に示すように、雄型小分け容器１０と同様に容器本体２１と鍔部２６とを備えている。つまり、容器本体２１は、上部が開放されたやや扁平な容器状に形成され、平面視四角形に形成されている。容器本体２１は、底壁２２および４つの側壁２３を有している。各側壁２３の上端には、鍔部２６が連続して形成されている。鍔部２６は、側壁２３の上端から水平に延びた後、やや下方へ折れ曲がっている。鍔部２６は、平面視で四角形の枠型に形成されている。
【００１３】
そして、雄型小分け容器１０および雌型小分け容器２０の鍔部１６，２６には、該鍔部１６，２６同士（雄型小分け容器１０の鍔部１６と雌型小分け容器２０の鍔部２６と）が着脱自在な着脱機構が設けられている。具体的に、雄型小分け容器１０の鍔部１６には、着脱機構として複数（本実施形態では、１２個）の突起１７が設けられている。突起１７は、鍔部１６の上面から鉛直方向に突出しており、横断面が円形に形成され、先端が略球面に形成されている。突起１７は、鍔部１６の四角形枠の各辺に３個ずつ設けられている。雌型小分け容器２０の鍔部２６には、着脱機構として複数（本実施形態では、１２個）の孔２７が形成されている。孔２７は、鍔部２６の水平方向に延びる平面部に設けられており、突起１７と略同じ大きさの円形に形成されている。孔２７は、鍔部２６の四角形枠の各辺に３個ずつ設けられている。
【００１４】
本実施形態の電子レンジ用容器１では、図５に示すように、雌型小分け容器２０における鍔部２６の孔２７に雄型小分け容器１０における鍔部１６の突起１７が挿入（嵌合）することにより、雄型小分け容器１０と雌型小分け容器２０とがそれぞれの鍔部１６，２６同士で着脱自在に接続される。こうして、例えば、雄型小分け容器１０と雌型小分け容器２０とが２つずつ接続されることにより、図６に示すように、一体に構成された電子レンジ用容器１となる。つまり、見かけ上、４つに区画された１つの電子レンジ用容器１が構成される。
【００１５】
また、雄型小分け容器１０および雌型小分け容器２０の底壁１２，２２は、中央が底上げされている。具体的に、それぞれの底壁１２，２２は、外方（即ち、側壁１３，２３側）から内方（即ち、中央側）へいくに従って上方に傾斜する４つの斜面部１４，２４と、斜面部１４，２４の内方端に位置する頂部１５，２５とで構成されている。４つの斜面部１４，２４は、４つの側壁１３，２３の下端から延びている。頂部１５，２５は、水平面に形成されている。つまり、底壁１２，２２は頂部１５，２５が最も高く底上げされている。
【００１６】
以上のように、上記実施形態の電子レンジ用容器１によれば、複数の小分け容器（雄型小分け容器１０および雌型小分け容器２０）が互いの鍔部１６，２６同士で接続されて平面状に連なっているため、各小分け容器１０，２０に異なる調理品を収容することで、複数種の調理品からなるコース料理として店頭に陳列することができる。そして、上記実施形態の電子レンジ用容器１では、小分け容器１０，２０の鍔部１６，２６に鍔部１６，２６同士が着脱自在な着脱機構を設けるようにした。そのため、電子レンジで加熱する際は、複数の小分け容器１０，２０を互いに切り離すことで、それぞれの調理品を十分に加熱することができる。したがって、複数の調理品において温度ムラの発生を抑制することができる。このように、複数の調理品をそれぞれ区画して収容する機能を有しながらも、電子レンジによる加熱時には温度ムラの発生を抑制し得る電子レンジ用容器１を提供することができる。
【００１７】
具体的には、着脱機構として、雄型小分け容器１０の鍔部１６には突起１７を設け、雌型小分け容器２０の鍔部２６には突起１７が挿入される（嵌る）孔２７を設けるようにした。したがって、簡易な構成で容易に鍔部１６，２６同士を着脱させることができる。
【００１８】
さらに、雄型小分け容器１０および雌型小分け容器２０の底壁１２において、中央を底上げするようにした。そのため、小分け容器１０，２０において中央が盛り上がるように調理品を収容しても、調理品の上下方向の厚さを均一にすることができる。調理品の上下方向の厚さが均一になることにより、電子レンジで加熱する際、調理品全体を満遍なく加熱することができ、温度ムラの発生をより一層抑制することができる。小分け容器１０，２０において中央が盛り上がるように調理品を収容することで、調理品のボリューム感を出すことができる。
【００１９】
なお、上記実施形態において、鍔部１６，２６同士の着脱機構は上述した構成に限らず、他の構成のものであってもよい。
【００２０】
また、上記実施形態の電子レンジ用容器１では、雄型小分け容器１０と雌型小分け容器２０とが２つずつ接続される形態について説明したが、各数量の組み合わせはこれに限られないことは勿論である。
【産業上の利用可能性】
【００２１】
本発明は、複数の調理品（食品）を小分けで収容する電子レンジ用容器について有用である。
【符号の説明】
【００２２】
１        電子レンジ用容器
１０      雄型小分け容器（小分け容器）
１１      容器本体
１２      底壁
１３      側壁
１６      鍔部
１７      突起（着脱機構）
２０      雌型小分け容器
２１      容器本体
２２      底壁
２３      側壁
２６      鍔部
２７      孔（着脱機構）
【図１】
2017065785.tif 000003
【図２】
2017065785.tif 000004
【図３】
2017065785.tif 000005
【図４】
2017065785.tif 000006
【図５】
2017065785.tif 000007
【図６】
2017065785.tif 000008